(57)【要約】      （修正有）【課題】組立て効率の高い電力ブレーカを提供する。【解決手段】電力ブレーカは、基部１０と、カバー２０と、ロッカースイッチ３０と、端子組立て品と、基盤組立て品５０と、２つのバネ６０とを有する。カバー２０は、基部１０上に取り付けられ、且つ２つの位置決めスタブを有し、ここで位置決めスタブは、カバー２０から突出し、且つある間隔をおいて離れている。ロッカースイッチ３０は、基部１０において回転可能に取り付けられる。端子組立て品は、基部１０にしっかりと取り付けられ、且つカバー２０から外へ延在する。基盤組立て品５０は、基部１０に取り付けられ、且つ２つの接続部分を有する。バネ６０は、位置決めスタブをそれぞれ受け入れ、且つ接続部分及び端子組立て品に当接する。バネ６０は、カバー２０の位置決めスタブ上に据え付けられ、且つ、その後、カバー２０は、基部１０上に据え付けられる。【選択図】図２
0003206975.tif 000002
【実用新案登録請求の範囲】
【請求項１】
電力ブレーカであって、
基部であって、前記基部の上端部を通って画成される開口部と、前記基部の側面を通って画成され、且つ前記開口部と連通する凹部と、を有する、基部と、
前記基部上に取り付けられ、且つ２つの位置決めスタブを有するカバーであって、前記位置決めスタブは、前記カバーの側面から突出し、且つある間隔をおいて離れており、前記位置決めスタブを有する前記カバーの側面は、前記凹部を有する前記基部の前記側面上に取り付けられる、カバーと、
前記基部の前記開口部の中に、回転可能に取り付けられるロッカースイッチと、
前記基部の前記凹部の中にしっかりと取り付けられ、且つ前記カバーから外へ延在する端子組立て品と、
前記基部の前記凹部の中に取り付けられ、且つ２つの接続部分を有する基盤組立て品と、
前記カバーの前記位置決めスタブをそれぞれ受け入れる２つのバネであって、各バネの２つの端部は、前記接続部分及び前記端子組立て品にそれぞれ当接する、２つのバネと、を備える、
電力ブレーカ。
【請求項２】
前記端子組立て品は、第１端子であって、この第１端子は、前記基部の前記凹部の中に取り付けられ、且つ、前記凹部を有する前記基部の前記側面に向けて配置された第１当接部分であって、この第１当接部分は、前記バネの１つによって当接され、且つ前記第１端子の２つの端部の１つの上に形成される、第１当接部分と、前記基部の前記開口部に向けて配置され、且つ前記第１端子の上端部表面から突出する第１突起と、を有する、第１端子と、第２端子であって、この第２端子は、前記基部の前記凹部の２つの内側表面の１つに取り付けられ、且つ第２当接部分を有し、前記第２当接部分は、前記凹部の他方の内側表面に向けて配置され、他方のバネによって当接され、且つ前記第２端子の２つの側面の１つに形成される、第２端子と、第３端子であって、この第３端子は、前記基部の前記凹部の前記他方の内側表面に取り付けられ、且つ、前記凹部の中に取り付けられた第１プレートと、前記第１プレートにおいて横方向に取り付けられ、且つ前記第２端子に向けて配置された第２プレートと、第２突起であって、この第２突起は、前記第２プレートの２つの端部の１つの底端部表面から突出し、前記第１端子の前記第１突起に対応し、且つ前記第１突起に接触することが可能である、第２突起と、を有する、第３端子と、前記基部の前記凹部の底端部に取り付けられたブロックと、を有し、前記凹部は延在部分を有し、前記延在部分は、前記凹部の内部に形成された前記ブロックに対応し、且つ前記凹部の前記底端部に向けて配置され、前記ブロックと前記延在部分との間に隙間が形成され、且つ前記第２プレートが前記隙間を通して取り付けられる、請求項１に記載の電力ブレーカ。
【請求項３】
前記基部は、２つの旋回孔を更に有し、前記旋回孔は、前記基部の前記上端部の２つの側面においてそれぞれ画成され、互いに対して対応し、且つ前記開口部と連通し、前記ロッカースイッチは、突出部分であって、この突出部分は、前記ロッカースイッチの底端部から突出し、前記基部の前記凹部に向けて配置され、且つ前記第３端子の前記第２プレートの２つの端部の１つを押し付け、それによって、前記第２突起が駆動されて、前記第１突起に接触する、突出部分と、前記２つの旋回孔の中にそれぞれ回転可能に取り付けられ、且つ前記ロッカースイッチの２つの側面から突出する２つの旋回スタブと、前記凹部に向けて配置され、前記第２プレートを引っ掛け、且つ前記ロッカースイッチの前記側面の１つに取り付けられる鉤部と、を有し、前記基盤組立て品は、前記基部の前記凹部の中に取り付けられた基盤と、前記基盤の２つの側面の１つに取り付けられた指示灯と、を更に有し、前記基盤の他方の側面は、前記接続部分を接続する、請求項２に記載の電力ブレーカ。
【考案の詳細な説明】
【技術分野】
【０００１】
本考案は、電力ブレーカに関し、特に、組立て効率の高い電力ブレーカに関する。作業者が電力ブレーカを組立てる場合、作業者はバネを正確に据え付けるが、このことは、電力ブレーカの正常な動作を保証し、且つ電力ブレーカの組立てにおける効率を上げる。
【背景技術】
【０００２】
電力ブレーカは、しばしば用いられる電気装置であり、この電気装置は、家庭用機器に適用される。電力ブレーカは、電子製品における過大電流を回避し、且つ使用者及び製品の損傷を防止する。
【０００３】
従来の電力ブレーカは、例えば特許文献１で開示されるように、電源と電子製品との間に取り付けられ、且つ基部と、端子組立て品と、ロッカースイッチと、カバーと、指示灯と、２つのバネとを有する。
端子組立て品及びロッカースイッチは、基部に取り付けられ、且つロッカースイッチは、端子組立て品に電気的に接続される。カバーは、基部の１つの側面に取り付けられる。端子組立て品は２つの端子を有するが、これらの端子は、指示灯の２つの接続部分をバネと接続する。使用者がロッカースイッチを操作する場合、端子組立て品と指示灯との間の電気的接続が変更されるが、このことは、指示灯を点灯する、又は消灯することによって、電力ブレーカの状態を明らかにする。
【０００４】
従来の電力ブレーカに対する組立て工程においては、組立て者は、バネを基部の中の決まった場所に据え付け、且つ、その後、カバーを基部に取り付けた状態にする。しかしながら、組立て者がカバーを基部上に取り付けている時、据え付けられたバネは、それらの元の位置から容易に移動するが、このことは、電力ブレーカが正常に動作しない原因となる。
【先行技術文献】
【特許文献】
【０００５】
【特許文献１】台湾実用新案第Ｍ５０４３４２号
【考案の概要】
【考案が解決しようとする課題】
【０００６】
本考案の目的は、組立て効率の高い電力ブレーカを提供することである。作業者が電力ブレーカを組立てる場合、作業者はバネを正確に据え付けるが、このことは、電力ブレーカの正常な動作を保証し、且つ電力ブレーカの組立てにおける効率を上げる。
【課題を解決するための手段】
【０００７】
前述の目的を達成するために、本考案に従う電力ブレーカは、基部と、カバーと、ロッカースイッチと、端子組立て品と、基盤組立て品と、２つのバネとを備える。基部は、開口部及び凹部を有する。開口部は、基部の上端部によって画成される。凹部は、基部の側面によって画成され、且つ開口部と連通する。カバーは、基部上に取り付けられ、且つ２つの位置決めスタブを有するが、これらの位置決めスタブは、カバーの側面から突出し、且つある間隔をおいて離れている。位置決めスタブを有するカバーの側面は、凹部を有する基部の側面上に取り付けられる。ロッカースイッチは、基部の開口部の中に回転可能に取り付けられる。端子組立て品は、基部の凹部にしっかりと取り付けられ、且つカバーから外へ延在する。基盤組立て品は、基部の凹部に取り付けられ、且つ２つの接続部分を有する。バネは、カバーの位置決めスタブをそれぞれ受け入れる。各バネの２つの端部は、接続部分及び端子組立て品にそれぞれ当接する。
【０００８】
本考案の他の目的、利点及び新規な特徴は、添付された図面に関連して捉えられる場合、以下の詳細な記述からより明白になるであろう。
【図面の簡単な説明】
【０００９】
【図１】本考案に従う電力ブレーカの斜視図である。
【図２】図１における電力ブレーカの、拡大された斜視図である。
【図３】図２における電力ブレーカのカバーの、拡大された斜視図である。
【図４】図１における電力ブレーカの基部及びカバーの、拡大された斜視図である。
【図５】図２における電力ブレーカの第１端子及び第２端子の、拡大された斜視図である。
【図６】カバー無しで示された、図１における電力ブレーカの正面図である。
【考案を実施するための形態】
【００１０】
図１及び図２を参照する。本出願に従う電力ブレーカは、基部１０と、カバー２０と、ロッカースイッチ３０と、端子組立て品４０と、基盤組立て品５０と、２つのバネ６０とを有する。
【００１１】
図２及び図６を参照する。基部１０は開口部１１と、凹部１２と、２つの旋回孔１１０と、第１端部１０１と、第２端部１０２とを有する。
【００１２】
開口部１１は、基部１０の上端部を通って画成される。
【００１３】
凹部１２は、基部１０の側面を通って画成され、開口部１１と連通し、且つ延在部分１２０を有する。延在部分１２０は、凹部１２の内部に形成され、且つ凹部１２の底端部に向けて配置される。
【００１４】
旋回孔１１０は、基部１０の上端部の２つの側面においてそれぞれ画成され、互いに対して対応し、且つ開口部１１と連通する。
【００１５】
第１端部１０１及び第２端部１０２は、基部１０の２つの端部にそれぞれ位置する。
【００１６】
図３及び図４を参照する。カバー２０は、基部１０上に取り付けられ、且つ２つの位置決めスタブ２１及び２つの貫通孔２００を有する。
【００１７】
位置決めスタブ２１は、カバー２０の側面から突出し、且つある間隔をおいて離れている。位置決めスタブ２１を有するカバー２０の側面は、凹部１２を有する基部１０の側面上に取り付けられる。
【００１８】
貫通孔２００は、カバー２０を通って画成され、且つある間隔をおいて離れている。
【００１９】
図２及び図６を参照する。ロッカースイッチ３０は、基部１０の開口部１１の中に回転可能に取り付けられ、且つ突出部分３１と、２つの旋回スタブ３２と、鉤部３００とを有する。
【００２０】
突出部分３１は、基部１０の凹部１２に向けて配置され、且つロッカースイッチ３０の底端部から突出する。
【００２１】
旋回スタブ３２は、２つの旋回孔１１０の中に回転可能にそれぞれ取り付けられ、且つロッカースイッチ３０の２つの側面からそれぞれ突出する。
【００２２】
鉤部３００は、凹部１２に向けて配置され、且つロッカースイッチ３０の側面の１つに取り付けられる。
【００２３】
図２、図５及び図６を参照する。端子組立て品４０は、基部１０の凹部１２の中にしっかりと取り付けられ、カバー２０から外へ延在し、且つ第１端子４１と、第２端子４２と、第３端子４３と、ブロック４４とを有する。
【００２４】
第１端子４１は、基部１０の凹部１２の中に取り付けられ、且つ第１当接部分４１０及び第１突起４１１を有する。
【００２５】
第１当接部分４１０は、凹部１２を有する基部１０の側面に向けて配置され、且つ第１端子４１の２つの端部の１つの上に形成される。
【００２６】
第１突起４１１は、基部１０の開口部１１に向けて配置され、且つ第１端子４１の上端部表面から突出する。
【００２７】
第２端子４２は、基部１０の凹部１２の２つの内側側面の１つに取り付けられ、カバー２０の貫通孔２００の１つから外へ延在し、且つ第２当接部分４２０を有する。第２当接部分４２０は、凹部１２の他方の内側側面に向けて配置され、且つ第２端子４２の２つの側面の１つに形成される。
【００２８】
第３端子４３は、基部１０の凹部１２の他方の内側側面に取り付けられ、他方の貫通孔２００から外へ延在し、且つ第１プレート４３１と、第２プレート４３２と、第２突起４３３とを有する。
【００２９】
第１プレート４３１は、凹部１２の中に取り付けられる。
【００３０】
第２プレート４３２は、鉤部３００によって引っ掛けられ、第１プレート４３１側面に取り付けられ、且つ第２端子４２に向けて配置される。
【００３１】
第２突起４３３は、第２プレート４３２の２つの端部の内の１つの底端部表面から突出し、第１端子４１の第１突起４１１に対応し、且つ第１突起４１１に接触することが可能である。ロッカースイッチ３０を旋回させ、且つ第２プレート４３２の２つの端部の１つに対して突出部分３１を押し付けることによって、第２突起４３３が駆動され、第１端子４１の第１突起４１１に接触する。
【００３２】
ブロック４４は、基部１０の凹部１２の底端部に取り付けられ、且つ基部１０の凹部１２の延在部分１２０に対応する。ブロック４４と延在部分１２０との間に隙間が形成され、且つ第２プレート４３２が、その隙間を通して取り付けられる。
【００３３】
図２及び図６を参照する。基盤組立て品５０は、基部１０の凹部１２の中に取り付けられ、且つ基盤５１と、指示灯５２と、２つの接続部分５３とを有する。
【００３４】
基盤５１は、凹部１２の中に取り付けられる。
【００３５】
指示灯５２は、基盤５１の２つの側面の１つに取り付けられる。
【００３６】
接続部分５３は、基盤５１の他方の側面に取り付けられる。
【００３７】
図２、図３及び図６を参照する。バネ６０は、カバー２０の位置決めスタブ２１をそれぞれ受け入れる。
【００３８】
各バネ６０の２つの端部は、基盤組立て品５０及び端子組立て品４０の接続部分５３にそれぞれ当接する。具体的には、バネ６０の一方は、端子組み立て品４０の第１端子４１の第１当接部分４１０に当接し、且つ他方のバネ６０は、第２端子４２の第２当接部分４２０に当接する。
【００３９】
本考案の電力ブレーカが使用される場合、第２端子４２及び第３端子４３は、電源に接続される。バネ６０の１つは、第１端子４１及び、基盤組み立て品５０の接続部分５３の１つに当接し、且つ他方のバネ６０は、第２端子４２及び他方の接続部分５３に当接する。従って、使用者が、基部１０の第１端部１０１に向けてロッカースイッチ３０を押すと、突出部分３１は、第２プレート４３２に当接し、且つ第２突起４３３を駆動し、その結果、第２突起４３３が第１端子４１の第１突起４１１に接触する。その後、第１端子４１が第３端子４３を先導し、第１当接部分４１０及び第２当接部分４２０は、バネ６０によって、接続部分５３に同時に接続され、これによって、基盤組立て品５０の指示灯５２が点灯し、電力ブレーカの状態が示される。
【００４０】
使用者がロッカースイッチ３０を、基部１０の第２端部１０２に向けて押す場合、鉤部３００は第２プレート４３２を引っ掛け、これによって、第２突起４３３は、第１突起４１１から離される。従って、第３端子４３と第１端子４１との間の接続が切断され、指示灯５２が消灯する。
【００４１】
作業者は、バネ６０を、カバー２０の位置決めスタブ２１上に据え付け、且つ、その後、カバー２０を、基部１０上に据え付ける。従って、作業者は、バネ６０が有るべき所に無いかどうか、又はバネ６０が欠陥を有するかどうかを意識し、それによって、本考案の電力ブレーカの正常な機能を保証する。そのため、本考案の電力ブレーカは、組立て効率を上げると共に、組立てにおける欠陥率を減少させ、それによって、生産コストを節約する。
【００４２】
本考案の構造及び機能の詳細と共に、本考案の多数の特性及び利点が、前述の説明において明らかにされたが、本開示は単に例証的なものである。特に、形状、サイズ、及び部品の配置の事項において、詳細の変更がなされてもよいが、このことは、添付された請求項が表現される用語の広い一般的な意味によって、最大限に指し示される本考案の原理の範囲内において、という条件の下に成り立つ。
【図１】
0003206975.tif 000003
【図２】
0003206975.tif 000004
【図３】
0003206975.tif 000005
【図４】
0003206975.tif 000006
【図５】
0003206975.tif 000007
【図６】
0003206975.tif 000008